(57)【特許請求の範囲】
【請求項１】
上面に基板1を納める凹所３を設け、裏面にクッション材５を貼りつけた矩形状のトレイ２の凹所３に基板１を納めた状態で、同一形態の前記トレイを複数枚集積させたトレイ積層体の３面を、折り曲げ罫線を介して連接された裏板7、背板８及び表板９とからからなる段ボール製のブック状ホルダ６により包囲し、該ホルダを、ポリ袋１２で内装した段ボール箱に複数個収納してなることを特徴とするデイスプレイ用基板の梱包構造。
【発明の詳細な説明】
【０００１】
【発明の属する技術分野】
本発明は、板状の易損品、例えばＴＦＴ基板とＣＦ基板との間に液晶をはさみ込んでなるＬＣＤのセル基板のような電子部品を複数枚づつ集積搬送するためのホルダを用いた梱包構造に関する。
【０００２】
【従来の技術】
テレビジョンやコンピュータなどの表示部に用いられるデイスプレイは、製造工場からテレビジョンやコンピュータに組み込むために組立工場に輸送される。
【０００３】
例えば、テレビジョン、ノートパソコン、ワープロなどに使用されるＴＦＴ液晶デイスプレイは、ＴＦＴ基板とＣＦ基板と呼ばれるガラス製の２枚の薄いセル基板の内側に透明な電極を置き、その内側には液晶物質が密封され、さらに基板周縁部に表示信号制御用のＩＣチップが実装される。前記ＩＣチップにはゲートＦＰＣやドレインＦＰＣとが基板の４辺のうち少なくとも２辺から露出するように貼付されている。
このような構造であるＬＣＤの基板は衝撃や振動に弱く、搬送中に基板が横方向にずれ動いたり、上下方向に躍ったりすると、その際の負荷によりＩＣチップのＦＰＣが他部との接触等により曲がり、断線を発生し、また画素の欠けを生じたり、場合によってはガラスの割れなどの事故が発生しやすい。さらに製品基板と包装体との摩擦により静電気が発生した場合、露出している回路端子を通じて精密部品であるＬＣＤの基板回路を損傷することを防ぐため帯電防止対策も必要であった。
【０００４】
そのためにＬＣＤの基板は、搬送中に静電気が帯電しないようにしながら、搬送中製品が損傷をうけないように緩衝包装されて製造工場から出荷されるが常である。また上記ＬＣＤの基板は量産品であるから、その梱包体を構成する作業は迅速に行えることが好ましいものとされ、また取り出し開梱作業も容易なことが必要とされている。
【０００５】
【発明が解決しようとする課題】
しかし、従来法は発泡スチロール製の身箱と蓋とからなる容器を用意し、身箱は相対する内壁に複数の基板の両端部を装入する溝を形成して、その溝に前記基板を差し込むことにより複数列に縦詰め保持した後、この縦詰め収納した基板上から身箱に対して蓋をかぶせて基板の４辺のうち３辺を保持して箱詰め作業を終了し、テープシールして出荷していたものである。
【０００６】
しかるに、従来の発泡スチロール箱による梱包方法は、容器内に複数枚の基板を縦詰め収納していたから、基板の収納作業に手間と包装コストが多くかかり、また製品の取り出し開梱作業も容易ではなかった。また、前述のようにゲートＦＰＣやドレインＦＰＣとが基板の４辺のうち少なくとも２辺から露出する基板を保持する場合、その露出部分は保持できないことが多い。そのために従来法では容器内で基板が動揺することが避けられない。従って搬送中の衝撃や振動のより基板に負荷が加わることが予想され、そのような場合には製品に悪影響・事故が発生すること考えられる。
【０００７】
本発明は上記のように衝撃や振動を嫌う物品で、搬送中に横または縦方向に躍ったりすると、その際の負荷により露出している回路端子が包装体との摩擦等により曲がり、断線を発生し、画素の欠けを生じたり、場合によってはガラスの割れなどの事故が発生しやすいＬＣＤの基板のごとき板状易損品を搬送する場合に、振動や擦れなどにより物品に損傷、悪影響を与えることなく、円滑に集積搬送することのできる板状易損品の搬送用ホルダを用いた梱包構造を提案することを目的とする。
【０００８】
【課題を解決するための手段】
上記目的を達成するために、本発明は次のような手段からなるものである。
すなわち本発明は、上面に基板1を納める凹所３を設け、裏面にクッション材５を貼りつけた矩形状のトレイ２の凹所３に基板１を納めた状態で、同一形態の前記トレイを複数枚集積させたトレイ積層体の３面を、折り曲げ罫線を介して連接された裏板7、背板８及び表板９とからからなる段ボール製ブック状ホルダ６により包囲し、該ホルダを、ポリ袋１２で内装した段ボール箱に複数個収納してなることを特徴とするデイスプレイ用基板の梱包構造である。
【０００９】
【発明の実施の形態】
次に本発明の実施の形態を図面を参照して具体的に説明する。
図１において符号１は、本発明の包装対象である板状の易損品、具体的には、ＬＣＤのセル基板のような精密電子部品である。この基板は、前述したようにＴＦＴ基板とＣＦ基板と呼ばれるガラス製の２枚の薄いセル基板の内側に透明な電極を置き、その内側には液晶物質が密封され、さらに基板周縁部に表示信号制御用のＩＣチップと回路端子（ドレインＦＰＣ１ａとゲートＦＰＣ１ｂ）が基板の２辺から突出するように実装されている。
【００１０】
符号２は、前記したセル基板を収容保持するためのトレイ２である。このトレイの上面に、包装対象である基板１よりやや大きめの凹所（収納部）３を形成したものである。凹所３は、前記基板を１を収容保持する深さを有する。また凹所３は、少なくとも１つの直角形状隅角部３ａを有する。前記直角形状隅角部をはさんで位置する凹所の２辺、すなわち３ｂ、３ｃを当該トレイの端縁を構成する辺（例えば２ａ）に対して斜めに配置されるようになし、かつ前記斜めに配置された凹所の２辺内周が、矩形板状物品１の４辺のうち、露出する回路端子側以外の２辺に当接するように構成し、前記物品をトレイに設けた凹所内にほぼ水平状態に斜め置きするのである。
【００１１】
図２及び図３に示すトレイ２は、一例として静電防止処理を施した３枚の発泡プラスチック緩衝材を貼り合わせて構成されている。また、トレイを集積搬送する際、トレイを一定方向にそろえるために、上端に隅切りカット４が設けられている。
また図４に示したようにトレイの裏面には固定用クッション材５を貼り、トレイの積重ね時に、該クッション材をトレイに設けた凹所内に配置した包装物である板状物品１に密着させることができるようになっている。
【００１２】
図５は、前記のトレイを複数枚積重ねて集積搬送する際に使用する帯電防止処理したホルダ６の平面図である。このホルダ６は、罫線により折り曲げ自在とされたプラスチック段ボールシート製の裏板７と背板８及び表板９からなり、それぞれが図６に示すように一方向に連接されている。なお、このものは、前記した搬送用トレイ２を複数枚積重ねて構成したトレイ積層体の３面を梱包できるような大きさに形状設定されていて、図示実施例の裏板７の上面には、図２に示したと同様なトレイ２が貼付され、また表板９の上面には、図４に示したと同様な固定用クッション材５が貼付されている。
【００１３】
次に上記のホルダ６を使用して搬送用トレイを複数枚積重ねてブック状の梱包体を形成する作業を説明する。
【００１４】
ブック状梱包体を構成する際は、板状物品を収容保持した複数のトレイを一定方向にそろえたうえ、積重ね、そのときトレイの裏面のクッション材をトレイに設けた凹所内に配置した板状物品１に上から密着させる。続いて、トレイ積層体の３面を帯電防止処理したプラスチック段ボール製裏板と背板及び表板からなるホルダ６により図７のように梱包した後、その梱包体１０をポリ袋１２で内装した段ボール箱１１に収納する。このとき段ボール箱１１は横に倒し、その状態でブック状の梱包体１０を水平に積重ねて収納する（図８）。段ボール箱を横に倒してから梱包体１０を収納するので、梱包体１０は倒れることが無く、ホルダは開いたりすることがないので収納効率がよい。
最後に段ボール箱１１を正立させ、ポリ袋を折畳み、蓋をテープとめ１３して梱包が完了する。
【００１５】
このように、本発明ではブックスタイル仕様の梱包体を用いるので梱包体の横置き、縦置きが可能である。また横置き、縦置きとも荷重に強い。必要によりトレイの入り数の変更も容易である。
【００１６】
【発明の効果】
本発明のトレイは次のような効果を発揮する。
（１）ＬＣＤのセル基板のごとき板状板状の易損品を吸着パッドで保持しながら、トレイへの載置、トレイからの取り出しが容易に行える。
（２）また、前記物品は前記トレイに斜め置きされ、２辺が凹所により保持されるので、搬送時、トレイの振動で物品がずれ動くことが少なくなり、物品にかかる負荷によって物品に損傷を与えることなく、円滑に集積搬送することができる。
（３）トレイを集積搬送する際、トレイを一定方向にそろえる作業が容易に行える。
【００１７】
本発明によれば、基板をトレイとブック状ホルダで保護し、かつそれをポリ袋で内装した段ボール箱に収納するので（図８）、出荷搬送時の基板の破損汚損を防止することができ、またブック状ホルダを用いるのでトレイ積層体を集積搬送する際、トレイの縦置き、横置きが自由に行える。
さらにトレイの集積梱包体を構成する作業は、迅速に行え、また取り出し開梱作業も容易となる。
【図面の簡単な説明】
【図１】本発明の包装対象である板状物品とその搬送用トレイの斜視図。
【図２】搬送用トレイの正面図。
【図３】同上断面図。
【図４】同上裏面図
【図５】同上トレイを集積搬送する際に使用するホルダの平面図
【図６】同上ホルダの側面図
【図７】同上ホルダへのトレイ収容方法を示す説明図
【図８】段ボール箱へホルダを収容する方法を示した説明図
【符号の説明】
１  板状易損品
２  トレイ
３  凹所
４  隅切りカット
５  固定用クッション材
６  ホルダ
７  裏板
８  背板
９  表板
１０  梱包体
１１  段ボール箱
【図１】
0003560933.tif 000002
【図２】
0003560933.tif 000003
【図３】
0003560933.tif 000004
【図４】
0003560933.tif 000005
【図５】
0003560933.tif 000006
【図６】
0003560933.tif 000007
【図７】
0003560933.tif 000008
【図８】
0003560933.tif 000009